(57)【要約】      （修正有）【課題】複数の移動速度を選択可能なキャリッジを有することを前提として、印刷の品質が安定したプリンタを提供する。【解決手段】プリンタ１０を構成する紫外線照射ユニット２０は、プリントヘッドの両側方において固定されたケース２１と、ケース２１の内部にそれぞれ回転可能に設けられインクに紫外線を照射可能な照射部５０と、照射部５０に接続され照射部５０を回転させる動力部４０と、動力部４０に接続され動力部４０を作動させる制御部２５と、を有している。制御部２５は、キャリッジ１４の移動速度に合わせて照射部５０を回転させることにより紫外線の照射角度を制御する。【選択図】図２
2020019256.tif 000002
【特許請求の範囲】
【請求項１】
レールに沿って移動可能に設けられ複数の移動速度を選択可能なキャリッジと、
このキャリッジに支持され、紫外線を照射することにより硬化するインクをメディアに向かって吐出するプリントヘッドと、
このプリントヘッドに隣接して設けられ、前記インクに紫外線を照射することが可能な紫外線照射ユニットと、を有し、
前記紫外線照射ユニットは、前記プリントヘッドの両側方において固定されたケースと、これらのケースの内部にそれぞれ回転可能に設けられ前記インクに紫外線を照射可能な照射部と、これらの照射部に接続され前記照射部を回転させる動力部と、この動力部に接続され前記動力部を作動させる制御部と、を有し、
前記制御部は、前記キャリッジの移動速度に合わせて前記照射部を回転させることにより紫外線の照射角度を制御することを特徴とするプリンタ。
【請求項２】
前記照射部は、基板と、この基板に実装され紫外線を出射するランプと、前記基板に接続され前記基板の有する熱を外部に放出する放熱部と、を有し、
前記照射部が回転する際の回転軸は、前記放熱部を貫通していることを特徴とする請求項１記載のプリンタ。
【請求項３】
前記回転軸は、前記照射部の重心を貫通していることを特徴とする請求項２記載のプリンタ。
【請求項４】
前記照射部を正面から見た際に上下に延びると共に前記照射部を左右に二等分する線を基準として、前記回転軸は、前記二等分する線よりも前記プリントヘッドに近い部位に位置していることを特徴とする請求項２記載のプリンタ。
【請求項５】
前記移動速度は、２段階に設定され、
前記動力部は、ソレノイドを含むことを特徴とする請求項１又は請求項２記載のプリンタ。
【請求項６】
前記動力部は、前記ケースの内部に収納されていることを特徴とする請求項１〜請求項３のいずれか１項記載のプリンタ。
【発明の詳細な説明】
【技術分野】
【０００１】
本発明は、紫外線を照射することにより硬化するインクを吐出可能なプリンタに関する。
【背景技術】
【０００２】
吐出されたインクに紫外線を照射し、インクを硬化させることのできるプリンタが知られている。このようなプリンタに関する従来技術として特許文献１に開示される技術がある。
【０００３】
特許文献１に示されるような、プリンタは、レールに沿って移動可能に設けられキャリッジと、このキャリッジに支持され紫外線硬化型のインクをメディアに向かって吐出するプリントヘッドと、このプリントヘッドの側方に設けられインクに紫外線を照射することが可能な紫外線照射ユニットと、を有する。
【０００４】
紫外線の照射される方向を調節することができるよう、紫外線照射ユニットは、回転可能に設けられている。
【先行技術文献】
【特許文献】
【０００５】
【特許文献１】特許第４３０９６８８号公報
【発明の概要】
【発明が解決しようとする課題】
【０００６】
ところで、プリンタによっては、印刷のモード等を切り替えることにより、キャリッジの移動速度が変化する。移動速度が遅くなると、移動速度が速い場合に比べ、インクを照射し始めるまでに時間がかかる。結果、インクを硬化させるまでの時間が長時間化し、メディアに吐出されたインクが滲む虞がある。つまり、品質の安定性について改善の余地がある。
【０００７】
本発明は、複数の移動速度を選択可能なキャリッジを有することを前提として、印刷の品質が安定したプリンタの提供を課題とする。
【課題を解決するための手段】
【０００８】
本発明によれば、レールに沿って移動可能に設けられ複数の移動速度を選択可能なキャリッジと、
このキャリッジに支持され、紫外線を照射することにより硬化するインクをメディアに向かって吐出するプリントヘッドと、
このプリントヘッドに隣接して設けられ、前記インクに紫外線を照射することが可能な紫外線照射ユニットと、を有し、
前記紫外線照射ユニットは、前記プリントヘッドの両側方において固定されたケースと、これらのケースの内部にそれぞれ回転可能に設けられ前記インクに紫外線を照射可能な照射部と、これらの照射部に接続され前記照射部を回転させる動力部と、この動力部に接続され前記動力部を作動させる制御部と、を有し、
前記制御部は、前記キャリッジの移動速度に合わせて前記照射部を回転させることにより紫外線の照射角度を制御することを特徴とするプリンタが提供される。
【発明の効果】
【０００９】
本発明では、制御部は、動力部を介して照射部を回転させることにより、照射部を所定の方向に向けることができる。これにより、照射部は、キャリッジの移動速度に関わらず、メディアにインクが吐出されてから所定の時間後にインクに紫外線を照射することができる。メディアに吐出されたインクは、キャリッジの移動速度に関わらず、所定の時間経過後に硬化させられる。吐出されてから硬化するまでの時間を安定させることにより、硬化したインクの形状を安定させ、印刷の品質を確保することができる。印刷の品質が安定したプリンタを提供することができる。
【図面の簡単な説明】
【００１０】
【図１】本発明の実施例１によるプリンタの平面図である。
【図２】図１の２−２線断面図である。
【図３】図２の３−３線断面図である。
【図４】図２の４−４線断面図である。
【図５】図１に示されたプリンタの作用を説明する図である。
【図６】本発明の実施例２によるプリンタの要部断面図である。
【図７】図６に示されたプリンタの作用を説明する図である。
【図８】本発明の実施例３によるプリンタの要部断面図である。
【図９】図８に示されたプリンタの作用を説明する図である。
【発明を実施するための形態】
【００１１】
本発明の実施の形態を添付図に基づいて以下に説明する。なお、説明中、左右とはプリンタを正面から見た状態を基準として左右、前後とはメディアの送り方向を基準として前後を指す。また、図中Ｆｒは前、Ｒｒは後、Ｌｅは左、Ｒｉは右、Ｕｐは上、Ｄｎは下を示している。
＜実施例１＞
【００１２】
図１を参照する。プリンタ１０は、メディアＭｅにカラー画像を形成可能なインクジェット式のプリンタである。
【００１３】
［プリンタ１０の構成］
プリンタ１０は、メディアＭｅを搬送可能な搬送装置１１と、この搬送装置１１から送られたメディアＭｅを載置可能なベッド１２と、このベッド１２の上方において幅方向に伸びるレール１３と、このレール１３上に移動可能に設けられたキャリッジ１４と、紫外線を照射することにより硬化するインクが充填された４本のインクカートリッジ１５と、これらのインクカートリッジ１５からインクを送液可能に接続されたインクチューブ１６と、これらのインクチューブ１６に接続されていると共にキャリッジ１４に支持されたプリントヘッド１７と、これらのプリントヘッド１７の左右に設けられプリントヘッド１７から吐出されたインクに紫外線を照射することが可能な左右の紫外線照射ユニット２０、２０と、印刷等を行う際に操作者によって操作される操作部３０と、を有する。
【００１４】
プリンタ１０は、搬送装置１１によって前方にメディアＭｅを送りつつ、キャリッジ１４を左右方向に移動させる。メディアＭｅがプリントヘッド１７の下方を通過する際に、プリントヘッド１７からインクを吐出させる。吐出されたインクには、紫外線照射ユニット２０から出射された紫外線が照射され、インクが硬化される。
【００１５】
なお、プリンタ１０は、メディアＭｅを切断するカッター装置等任意の装置を搭載することができる。
【００１６】
［メディアＭｅについて］
メディアＭｅは、例えば、ロールに巻かれたロールメディアであり、メディアの材質としては、普通紙などの紙類であってもよく、ポリ塩化ビニル、ポリエステル等の樹脂類であってもよく、アルミニウム材、鉄材等の金属類であってもよく、様々な材料で構成可能である。メディアＭｅは、搬送装置１１によって後方から前方に向かって送られる。
【００１７】
［キャリッジ１４について］
キャリッジ１４の移動速度は、印刷の条件等によって複数段階に切り替えられる。例えば、印刷のモードを選択することにより、これらのモードに適した移動速度が選択される。即ち、キャリッジ１４は、複数の移動速度を選択可能である。
【００１８】
［インクカートリッジ１５について］
インクカートリッジ１５は、シアンインクが充填されたシアンカートリッジ１５Ｃと、マゼンダインクが充填されたマゼンダカートリッジ１５Ｍと、イエローインクが充填されたイエローカートリッジ１５Ｙと、ブラックインクが充填されたブラックカートリッジ１５Ｋと、からなる。
【００１９】
なお、インクカートリッジ１５を構成するカートリッジの数や色は任意に選択することができる。
【００２０】
［プリントヘッド１７について］
プリントヘッド１７は、カートリッジ１５Ｃ、１５Ｍ、１５Ｙ、１５Ｋにそれぞれ対応しインクを吐出可能なヘッド１７Ｃ、１７Ｍ、１７Ｙ、１７Ｋ、によって構成されている。
【００２１】
ヘッド１７Ｃ、１７Ｍ、１７Ｙ、１７Ｋは、シアンインクが吐出されるシアンヘッド１７Ｃと、マゼンダインクが吐出されるマゼンダヘッド１７Ｍと、イエローインクが吐出されるイエローヘッド１７Ｙと、ブラックインクが吐出されるブラックヘッド１７Ｋと、からなる。
【００２２】
［紫外線照射ユニット２０について］
左右の紫外線照射ユニット２０、２０は、それぞれ同じ構成とされている。以下、右の紫外線照射ユニット２０について説明する。左の紫外線照射ユニット２０については、詳細な説明を省略する。
【００２３】
図２を参照する。紫外線照射ユニット２０は、キャリッジ１４の側面に固定されたケース２１と、このケース２１に支持された動力部４０と、この動力部４０によって回転可能に支持されインクに紫外線を照射可能な照射部５０と、動力部４０と共に照射部５０を支持している照射部支持部６０と、この動力部４０に接続され動力部４０を作動させる制御部２５と、を有する。
【００２４】
［操作部３０について］
図１を参照する。操作部３０は、処理部３１、記憶部３２及び通信部３３を有する。処理部３１、記憶部３２及び通信部３３は、例えばマイクロコンピュータ又はマイクロコントローラで構成される。処理部３１、記憶部３２及び通信部３３は、例えばＣＰＵ（あるいはＭＰＵ又はＭＣＵ）、ＲＯＭ、ＲＡＭ、入出力インターフェースを含むことができる。例えば、ＲＯＭは、ＣＰＵに所定の動作を実行させるプログラムを記憶することができる。ＲＡＭは、ＣＰＵのワーク領域を形成することができる。なお、処理部３１、記憶部３２及び通信部３３は、ＡＳＩＣ、ＦＰＧＡ等で構成されてもよい。
【００２５】
操作部３０は、さらに、ユーザが操作可能な操作部としての操作パネル３４を有している。操作パネル３４は、電源ボタン、設定ボタン等の操作ボタン、操作スイッチ等を有している。
【００２６】
［ケース２１について］
図２を参照する。ケース２１は、底に穴２１ａが空けられた金属製の箱体である。
【００２７】
［動力部４０について］
動力部４０は、ケース２１の底に載せられたベース４１と、このベース４１に載せられたモータ４２と、これらのベース４１及びモータ４２をケース２１の底に固定しているステー４３と、を有する。
【００２８】
［照射部５０について］
照射部５０は、基板５１と、この基板５１に実装され紫外線を出射するＬＥＤ製のランプ５２と、基板５１に接続され基板の有する熱を外部に放出する放熱部５３と、を有している。
【００２９】
図３を参照する。ケース２１を正面から見た際に、上下に延びると共にケース２１を左右に二等分する線ＨＬ１を基準として、照射部５０は、二等分する線ＨＬ１よりもキャリッジ１４に近い部位に位置している。よりキャリッジ１４に近い部位に照射部５０を配置することにより、紫外線照射ユニット２０を支持するキャリッジ１４に加わる負荷を軽減させることができる。
【００３０】
なお、照射部５０が、二等分する線ＨＬ１よりもキャリッジ１４から遠い部位に位置する構成を採用することもできる。この場合には、回転域を広く確保することができる。
【００３１】
［制御部２５について］
制御部２５は、キャリッジ１４の側面に隣接しているケース２１の内側面に固定されている。制御部２５は、モータ４２及び基板５１に接続されている。制御部２５は、モータ４２及び基板５１に通電する。これにより、モータ４２を作動させ、基板５１に実装されたランプ５２を点灯させる。
【００３２】
なお、制御部２５は、ケース２１内の他の部位や、ケース２１の外部に設けることもできる。さらに、プリントヘッド１７を制御する制御基板にモータ４２や基板５１を制御する機能を持たせることもできる。加えて、制御部２５を複数の制御基板によって構成し、一方の制御基板によってモータ４２を制御し、他方の制御基板によって基板５１を制御することもできる。さらには、これらを組み合わせることもできる。
【００３３】
また、制御部２５は、ランプ５２を連続して点灯させていてもよいし、適宜消灯させてもよい。ランプ５２を連続して点灯させる場合には、プリンタ１０の主電源に連動させてランプ５２の点灯、消灯を切り替えることができる。
【００３４】
［照射部支持部６０について］
図２及び図４を参照する。照射部支持部６０は、ケース２１に固定された略Ｕ字状の支持部６１と、この支持部６１に一端が回転可能に支持されていると共に他端が放熱部５３に差し込まれた丸棒状の軸部材６２と、を有する。
【００３５】
［モータ４２について］
図２を参照する。モータ４２は、ベース４１に載せられることにより高さが調整されている。モータ４２には、ステッピングモータを採用することができる。なお、モータ４２には、ステッピングモータ以外のモータであっても適用することができる。
【００３６】
モータ４２の軸部４２ａは、先端が放熱部５３に差し込まれている。モータ４２の軸部４２ａ及び照射部支持部６０の軸部材６２を結んだ回転軸ＣＬを中心に、照射部５０は、回転する。なお、モータ４２をケース２１の外部に設け、軸部４２ａを放熱部５３に差し込まれた軸部材に連結させることもできる。
【００３７】
回転軸ＣＬは、放熱部５３を貫通していると共に、照射部５０の重心を貫通している。
【００３８】
以上に説明したプリンタ１０の作用を以下に説明する。
【００３９】
図５（ａ）及び図５（ｂ）を参照する。図５（ａ）及び図５（ｂ）に示される状態において、キャリッジ１４は、止まっている状態から加速し、選択された移動速度ｖ１（ｍ/ｓ）で左に向かって移動している。加えて、照射部５０は、照射部５０の真下を照射している。図５（ａ）に示されるように、プリントヘッド１７は、紫外線硬化型のインクＩｎを吐出する。すなわち、キャリッジ１４は、選択された移動速度ｖ１（ｍ/ｓ）を保持した状態で、プリントヘッド１７による紫外線硬化型のインクＩｎの吐出と、照射部５０による紫外線の照射を行う。
【００４０】
なお、移動速度ｖ１（ｍ/ｓ）は、選択しうる移動速度の中で最も遅い速度であるとする。
【００４１】
図５（ｂ）には、インクＩｎを吐出してからｔ秒後のキャリッジ１４及び紫外線照射ユニット２０が示されている。キャリッジ１４及び紫外線照射ユニット２０が移動することにより、インクＩｎが吐出されてからｔ秒後に、インクＩｎに対して紫外線Ｕｖが照射される。紫外線Ｕｖが照射されることにより、インクＩｎは、硬化する。ここで、キャリッジ１４及び紫外線照射ユニット２０は、移動速度ｖ１（ｍ/ｓ）でｔ秒移動することにより、インクＩｎを吐出した時からＬ１（ｍ）進んでいる。
【００４２】
プリンタ１０は、印刷モード等によって移動速度ｖ１（ｍ/ｓ）を変化させる。次に、移動速度を、選択しうる移動速度の中で最も速い速度である速いｖ２（ｍ/ｓ）に変更した場合の作用について説明する。
【００４３】
図４を参照する。印刷モードが変更されることにより、制御部２５は、印刷モードに応じて予め設定されている角度まで照射部５０を回転させる。より詳細には、印刷モードに応じてモータ４２を作動させ、モータ４２の回転量によって照射部５０を所定の位置まで回転させる。
【００４４】
図５（ｃ）及び図５（ｄ）を参照する。図５（ｃ）及び図５（ｄ）に示される状態において、キャリッジ１４は、止まっている状態から加速し、選択された移動速度ｖ２（ｍ/ｓ）で左に向かって移動している。なお、移動速度ｖ２（ｍ/ｓ）は、プリンタ１０が選択しうる移動速度の中で最も速い速度であるとする。
【００４５】
照射部５０は、照射部５０の後方を照射するよう鉛直軸Ｖｅに対してθ（°）だけ傾けられている。図５（ｃ）に示されるように、プリントヘッド１７は、紫外線硬化型のインクＩｎを吐出する。
【００４６】
図５（ｄ）には、インクＩｎを吐出してからｔ秒後のキャリッジ１４及び紫外線照射ユニット２０が示されている。ここで、キャリッジ１４及び紫外線照射ユニット２０は、移動速度ｖ２（ｍ/ｓ）でｔ秒移動することにより、インクＩｎを吐出した時からＬ２（ｍ）進んでいる。
【００４７】
図５（ｂ）を合わせて参照する。移動速度ｖ２は、移動速度ｖ１よりも速いため、移動距離Ｌ２（ｍ）は、Ｌ１（ｍ）よりも長い。移動速度ｖ２で移動しているときに、仮に照射部５０が照射部５０の真下を照射していると、インクＩｎは、吐出されてからｔ秒を経過する前に紫外線Ｕｖに照射されることとなる。インクＩｎの液滴を好ましい形状で硬化させるには、吐出後ｔ秒間経過してから紫外線を照射することが好ましいため、ｔ秒経過前に紫外線Ｕｖを照射すると印刷物の美観を損なう虞がある。
【００４８】
図５（ｄ）を参照する。前述の通り、照射部５０は、移動速度ｖ２（ｍ/ｓ）での移動を始める前に、照射部５０が後方を照射するようθ（°）だけ傾けられてる。このため、移動速度がより速いｖ２（ｍ/ｓ）とされた後であっても、インクＩｎが吐出されてからｔ秒後に、インクＩｎに対して紫外線Ｕｖを照射することができる。
【００４９】
なお、キャリッジ１４は、移動速度ｖ１からｖ２まで複数段階で変更させることもできる。このときは、０°〜θ°の間で、適した角度に照射部５０を回転させる。
【００５０】
以上に説明した本発明は、以下の効果を奏する。
【００５１】
図５を参照する。本発明では、制御部２５（図４参照）は、動力部４０を介して照射部５０を回転させることにより、照射部５０を所定の方向に向けることができる。これにより、照射部５０は、キャリッジ１４の移動速度ｖ１、ｖ２に関わらず、メディアＭｅにインクＩｎが吐出されてから所定の時間経過後にインクＩｎに紫外線Ｕｖを照射することができる。メディアＭｅに吐出されたインクＩｎは、キャリッジ１４の移動速度ｖ１、ｖ２に関わらず、所定の時間経過後に硬化させられる。吐出されてから硬化するまでの時間を安定させることにより、硬化したインクの形状を安定させ、印刷の品質を確保することができる。印刷の品質が安定したプリンタ１０を提供することができる。
【００５２】
加えて、照射部５０は、ケース２１の内部に収納されると共に、回転可能に設けられている。一方、ケース２１は、プリントヘッド１７の側方に固定されており、回転しない。ケース２１に内蔵された照射部５０のみを回転させるため、ケースを含めて回転させる場合に比べて、動力部４０を小型化することができる。これにより、プリンタ１０全体を小型化することができる。さらに、照射部５０のみを回転させることにより、ケースを含めて回転させる場合に比べて、重量バランスを向上させることができる。
【００５３】
図２を参照する。回転軸ＣＬは、放熱部５３を貫通している。重量物である放熱部５３を中心に回転させることにより、重量バランスを向上させることができる。加えて、回転軸ＣＬは、強度の高い放熱部５３を貫通していることにより、照射部５０の長寿命化を図ることができる。
【００５４】
さらに、回転軸ＣＬは、照射部５０の重心を貫通している。これにより、重量バランスを向上させることができる。加えて、照射部５０をより小さな力で回転させることができるため、動力部４０を小型化することができる。
【００５５】
さらに、動力部４０は、ケース２１の内部に収納されている。紫外線照射ユニット２０をコンパクトに配置することができる。
＜実施例２＞
【００５６】
次に、本発明の実施例２を図面に基づいて説明する。
【００５７】
図６には、実施例２によるプリンタ１０Ａの要部断面図が示されている。実施例２によるプリンタ１０Ａにおいては、実施例１によるプリンタ１０（図４参照）に対して回転軸ＣＬＡの位置が変更されている。その他の基本的な構成については、実施例１によるプリンタと共通する。実施例１と共通する部分については、符号を流用すると共に、詳細な説明を省略する。
【００５８】
照射部５０Ａを正面から見た際に上下に延びると共に照射部５０を左右に二等分する線ＨＬ２を基準として、回転軸ＣＬＡは、二等分する線ＨＬ２よりもプリントヘッド１７（キャリッジ１４）に近い部位に位置している。
【００５９】
以上に説明した実施例２によるプリンタ１０Ａも本発明所定の効果を奏する。
【００６０】
図７を参照する。図７（ａ）には、実施例１のプリンタに用いられた照射部が示され、図７（ｂ）には、実施例２のプリンタに用いられた照射部が示されている。図７（ａ）に示されるように、照射部５０は、鉛直軸に対してθ（°）傾けることにより、端部が下方にｈ１だけ突出する。一方、図６及び図７（ｂ）に示されるように、実施例２のプリンタ１０Ａに用いられた照射部５０Ａは、回転軸ＣＬＡが左右の中心線ＨＬ２に対してプリントヘッド１７側にオフセットされている。これにより、突出量をｈ１よりも小さなｈ２とすることができた。突出量を小さくすることにより、ケース２１の底に近づけて照射部５０を配置することができる。さらに、回転軸ＣＬＡをより低い部位に位置させることができる。
＜実施例３＞
【００６１】
次に、本発明の実施例３を図面に基づいて説明する。
【００６２】
図８には、実施例３によるプリンタ１０Ｂの要部断面図が示されている。実施例３によるプリンタ１０Ｂにおいては、実施例１によるプリンタ１０（図４参照）に対して、モータ４２（図４参照）がソレノイド４２Ｂに変更されている。即ち、動力部４０Ｂは、ソレノイド４２Ｂを含む。その他の基本的な構成については、実施例１によるプリンタと共通する。実施例１と共通する部分については、符号を流用すると共に、詳細な説明を省略する。
【００６３】
キャリッジ１４は、低速モード及び高速モードの２段階の移動速度で移動可能とされている。
【００６４】
動力部４０Ｂは、ステー４３Ｂを介してケース２１の側面に固定されたソレノイド４２Ｂと、放熱部５３から立てられたピンであってソレノイド４２Ｂの先端が当接している当接ピン４５Ｂと、放熱部５３に一端が当接し当接ピン４５Ｂをソレノイド４２Ｂに向かって付勢している付勢部材４６Ｂと、ケース２１の後面から立てられたピンであって放熱部５３の回転を規制可能なストッパピン４７Ｂと、を有している。
【００６５】
照射部５０Ｂを正面から見た際に上下に延びると共に照射部５０Ｂを左右に二等分する線ＨＬ２を基準として、回転軸ＣＬＢは、二等分する線ＨＬ２よりもプリントヘッド１７（キャリッジ１４）から遠い部位に位置している。
【００６６】
図９を参照する。図９（ａ）には、低速モード時における動力部４０Ｂ及び照射部５０Ｂが示されている。図９（ｂ）には、高速モード時における動力部４０Ｂ及び照射部５０Ｂが示されている。
【００６７】
キャリッジ１４の移動速度が低速モードから高速モードに切り替えられると、制御部２５は、ソレノイド４２Ｂをオフにする。即ち、ソレノイド４２Ｂへの通電を停止する。これにより、ソレノイド４２Ｂに設けられたロッド４２Ｂａが後退する。ロッド４２Ｂａが後退することにより、付勢部材４６Ｂの付勢力によって照射部５０Ｂが回転軸ＣＬＢを中心に回転する。プリントヘッド１７を基準として、照射部５０Ｂは、低速時よりも遠い位置を照射する。
【００６８】
キャリッジ１４の移動速度が高速から低速に切り替えられると、制御部２５は、ソレノイド４２Ｂをオンにする。即ち、ソレノイド４２Ｂへの通電を開始する。これにより、ソレノイド４２Ｂに設けられたロッド４２Ｂａが前進する。ロッド４２Ｂａが前進することにより、付勢部材４６Ｂの付勢力に抗して照射部５０Ｂが回転軸ＣＬＢを中心に回転する。プリントヘッド１７を基準として、照射部５０Ｂは、高速時よりも近い位置を照射する。なお、照射部５０Ｂは、ストッパピン４７Ｂに接触することにより、回転が規制される。換言すれば、照射部５０Ｂは、ストッパピン４７Ｂに接触する位置まで回転することができる。
【００６９】
以上に説明した実施例３によるプリンタ１０Ｂも本発明所定の効果を奏する。
【００７０】
さらに、移動速度は、２段階に設定され、動力部４０Ｂは、ソレノイド４２Ｂを含む。動力としてソレノイド４２Ｂを用いることにより、動力部４０Ｂを安価にすることができる。紫外線照射ユニット２０Ｂをより安価にすることができる。
【００７１】
尚、実施例１及び２においては、多段階に移動速度を変更することができるプリンタを前提に説明をした。しかし、実施例１及び２におけるプリンタの移動速度が２段階で変更されるものであってもよい。
【００７２】
本発明の作用及び効果を奏する限りにおいて、本発明は、実施例に限定されるものではない。
【産業上の利用可能性】
【００７３】
本発明のプリンタは、紫外線硬化型のインクを用いるインクジェットプリンタに好適である。
【符号の説明】
【００７４】
１０、１０Ａ、１０Ｂ…プリンタ
１３…レール
１４…キャリッジ
１７…プリントヘッド
２０、２０Ａ、２０Ｂ…紫外線照射ユニット
２１…ケース
２５…制御部
４０、４０Ｂ…動力部
４２Ｂ…ソレノイド
５０、５０Ａ、５０Ｂ…照射部
５１…基板
５２…ランプ
５３…放熱部
ＣＬ、ＣＬＡ、ＣＬＢ…回転軸
ＨＬ２…照射部を左右に二等分する線
【図１】
2020019256.tif 000003
【図２】
2020019256.tif 000004
【図３】
2020019256.tif 000005
【図４】
2020019256.tif 000006
【図５】
2020019256.tif 000007
【図６】
2020019256.tif 000008
【図７】
2020019256.tif 000009
【図８】
2020019256.tif 000010
【図９】
2020019256.tif 000011